(57)【要約】【課題】  ディスク駆動装置に対して、既存の構成に対する仕様変更を少ない形態で描画機能を加える。【解決手段】  書込信号生成装置１００において、ライトストラテジ回路１０は、ディスクに記録すべきデータに応じて、レーザ光の照射時間を制御するための書込信号を生成する。描画機能制御回路２０は、ディスク表面に形成すべき画像を組成する可視的な濃淡を記述する描画制御信号を生成する。信号変換回路３０は、描画制御信号を利用して、書込信号を描画用に変換する。【選択図】  図１
2006236535.tif 000002
【特許請求の範囲】
【請求項１】
レーザ光の照射時間を定めるための書込信号を生成する書込信号生成回路と、
ディスク表面に形成すべき画像を組成する可視的な濃淡を記述する描画制御信号を生成する描画制御回路と、
前記描画制御信号を利用して、前記書込信号生成回路で生成された書込信号から描画用の書込信号を生成する出力回路と、
を備えることを特徴とする書込信号生成装置。
【請求項２】
前記出力回路は、ディスクに保存用データを記録する場合、前記書込信号生成回路の出力する書込信号をそのままレーザ駆動回路に伝送することを特徴とする請求項１に記載の書込信号生成装置。
【請求項３】
前記描画制御信号は、ディスク表面にピットを形成する領域、またはしない領域が視認可能な大きさとなるレーザ光の照射タイミングを設定するため、前記書込信号生成回で生成された書込信号の一部をマスクする信号であることを特徴とする請求項１に記載の書込信号生成装置。
【請求項４】
前記描画制御回路は、レーザ光を照射するディスクの可視光特性変化層に応じて、該レーザ光のパワーを調整するための情報を前記描画制御信号に含めることを特徴とする請求項１に記載の書込信号生成装置。
【請求項５】
前記書込信号生成回路は、ディスクに描画するモードへの遷移を指示する信号を外部から入力された場合、前記出力回路に所定のモード切替信号を出力することを特徴とする請求項１に記載の書込信号生成装置。
【請求項６】
前記書込信号生成回路は、ディスクに描画するモードへの遷移を指示する信号を外部から入力された場合、前記描画制御回路に所定の起動信号を出力することを特徴とする請求項１に記載の書込信号生成装置。
【請求項７】
前記書込信号生成回路は、ディスクの規格に応じたストラテジパラメータにしがたい、パルス状の書込信号を生成するライトストラテジ回路であることを特徴とする請求項１に記載の書込信号生成装置。
【請求項８】
少なくとも前記書込信号生成回路、前記描画制御回路、および前記出力回路を同一基板上に半導体集積回路として、形成したことを特徴とする請求項１から７のいずれかに記載の書込信号生成装置。
【請求項９】
請求項１から７のいずれかに記載の書込信号生成装置と、
ディスクに記録すべきデータおよび前記濃淡を示す情報を前記書込信号生成装置に供給するシステムブロックと、
を同一基板上に搭載したことを特徴とする半導体集積回路。
【請求項１０】
請求項１から７のいずれかに記載の書込信号生成装置と、
前記出力回路の出力する書込信号に応じて、少なくともレーザの照射時間を制御するレーザ駆動装置と、
を同一基板上に搭載したことを特徴とする半導体集積回路。
【請求項１１】
請求項１から７のいずれかに記載の書込信号生成装置と、
前記出力回路の出力する書込信号に応じて、少なくともレーザの照射時間を制御するレーザ駆動装置と、
前記レーザ駆動装置により制御されるレーザ発光部を含む光ピックアップと、
を備えることを特徴とするディスク駆動装置。
【請求項１２】
請求項９に記載の半導体集積回路と、
前記出力回路の出力する書込信号に応じて、少なくともレーザの照射時間を制御するレーザ駆動装置と、
前記レーザ駆動装置により制御されるレーザ発光部を含む光ピックアップと、
を備えることを特徴とするディスク駆動装置。
【請求項１３】
請求項１０に記載の半導体集積回路と、
ディスクに記録すべきデータおよび前記濃淡を示す情報を前記書込信号生成装置に供給するシステムブロックと、
前記出力回路の出力する書込信号に応じて、少なくともレーザの照射時間を制御するレーザ駆動装置と、
前記レーザ駆動装置により制御されるレーザ発光部を含む光ピックアップと、
を備えることを特徴とするディスク駆動装置。
【発明の詳細な説明】
【技術分野】
【０００１】
本発明は、ディスクの記録面の空き領域やレーベル面に絵や文字などを描画するための書込信号生成装置、それを搭載した半導体集積回路、およびディスク駆動装置に関する。
【背景技術】
【０００２】
ＣＤ−Ｒ／ＲＷ、ＤＶＤ−Ｒ／ＲＷ、ＤＶＤ＋Ｒ／ＲＷなど、ユーザが記録可能な光ディスクが普及してきている。ユーザは、このようなディスクに好みの音楽や映像を記録して、オリジナルのディスクを作成することができる。また、好みのコンテンツを記録するばかりでなく、ディスクの記録面の空き領域やレーベル面に絵や文字などを描画し、オリジナルのタイトル、サイン、またはメッセージを記載したり、絵柄や写真を描写したりすることができる。特許文献１は、光ディスクの記録面にデータを記録するために照射するレーザ光を利用して、光ディスクのレーベル面に画像を形成する技術を開示する。
【特許文献１】特開２００２−２０３３２１号公報
【発明の開示】
【発明が解決しようとする課題】
【０００３】
特許文献１の図９には、レーザドライバ８２が記載されている。そのレーザドライバ８２は、システム制御回路６２の指令により、光ピックアップ６６のレーザダイオードを駆動するとしている。そして、そのレーザダイオードは、データ記録時は記録信号で変調された記録パワーのレーザ光を出射し、レーベル面の画像形成時は画像形成しようとする文字、絵等の画像データで変調されたレーザ光を出射するとしている。
【０００４】
このように、データ記録時と画像形成時では異なるレーザ光が出射するため、既存のデータ記録用のシステムに加えて、描画回路を設けて、レーザドライバを制御する必要がある。したがって、それに対応して描画機能を搭載していなかったレーザドライバの仕様を作り直さなければならなかった。
【０００５】
本発明はこうした状況に鑑みてなされたものであり、その目的は、既存の構成に対する仕様変更を少ない形態で描画機能を加えることができる書込信号生成装置、それを搭載した半導体集積回路、およびディスク駆動装置を提供することにある。
【課題を解決するための手段】
【０００６】
上記課題を解決するために、本発明のある態様の書込信号生成装置は、レーザ光の照射時間を定めるための書込信号を生成する書込信号生成回路と、ディスク表面に形成すべき画像を組成する可視的な濃淡を記述する描画制御信号を生成する描画制御回路と、描画制御信号を利用して、書込信号生成回路で生成された書込信号から描画用の書込信号を生成する出力回路と、を備える。ディスク表面に描画する場合、「書込信号生成回路」は、所定の連続的な書込信号を出力回路に供給してもよい。この態様によると、既存の構成に対する仕様変更を少ない形態で描画機能を加えることができる。
【０００７】
出力回路は、ディスクに保存用データを記録する場合、書込信号生成回路で生成された書込信号をそのままレーザ駆動回路に伝送してもよい。この態様によると、保存用データを記録するモードと、ディスク表面に画像を形成するモードに、書込信号生成回路の生成する書込信号を利用することができる。
【０００８】
描画制御信号は、ディスク表面にピットを形成する領域、またはしない領域が視認可能な大きさとなるレーザ光の照射タイミングを設定するため、書込信号生成回路で生成された書込信号の一部をマスクする信号であってもよい。この態様によると、書込信号生成回路の出力する書込信号を容易に変換することができる。
【０００９】
描画制御回路は、レーザ光を照射するディスクの可視光特性変化層に応じて、該レーザ光のパワーを調整するための情報を描画制御信号に含めてもよい。この態様によると、ディスク表面にカラー画像を形成することができる。
【００１０】
書込信号生成回路は、ディスクに描画するモードへの遷移を指示する信号を外部から入力された場合、出力回路に所定のモード切替信号を出力してもよい。この態様によると、出力回路のモード変更を容易に行うことができる。
【００１１】
書込信号生成回路は、ディスクに描画するモードへの遷移を指示する信号を外部から入力された場合、描画制御回路に所定の起動信号を出力してもよい。この態様によると、書込信号生成回路と描画制御回路との同期を容易にとることができる。
【００１２】
書込信号生成回路は、ディスクの規格に応じたストラテジパラメータにしがたい、パルス状の書込信号を生成するライトストラテジ回路であってもよい。この態様によると、各種規格のディスク表面に画像を形成することができる。
【００１３】
少なくとも書込信号生成回路、描画制御回路、および出力回路を同一基板上に半導体集積回路として、形成してもよい。この態様によると、同一基板上に搭載することにより、書込信号生成回路と描画制御回路と間の信号調整が容易になる。
【００１４】
本発明の別の態様は、半導体集積回路である。この半導体集積回路は、上述した書込信号生成装置と、ディスクに記録すべきデータおよび濃淡を示す情報を書込信号生成装置に供給するシステムブロックと、を同一基板上に搭載した。この態様によると、同一基板上に搭載することにより、書込信号生成回路と描画制御回路と間の信号調整が容易になる。
【００１５】
本発明のさらに別の態様もまた、半導体集積回路である。この半導体集積回路は、上述した書込信号生成装置と、出力回路の出力する書込信号に応じて、少なくともレーザの照射時間を制御するレーザ駆動装置と、を同一基板上に搭載した。この態様によると、同一基板上に搭載することにより、書込信号生成回路と描画制御回路と間の信号調整が容易になる。また、書込信号生成装置とレーザ駆動装置との間の系を短くし、信号特性を向上させることができる。
【００１６】
なお、以上の構成要素の任意の組合せ、本発明の表現を装置、方法、システム、コンピュータプログラムなどの間で変換したものもまた、本発明の態様として有効である。
【発明の効果】
【００１７】
本発明によれば、既存の構成に対する仕様変更を少ない形態で描画機能を加えることができる。
【発明を実施するための最良の形態】
【００１８】
（実施形態１）
実施形態１は、ディスクへの書込信号を制御するライトストラテジ回路を搭載するディスク駆動回路に、描画機能を搭載してワンチップ化したシステムＬＳＩの例を示す。このシステムＬＳＩは、ピックアップとは別のメイン基板に設けられる。生成した書込信号をレーザドライバに供給する。具体的には、ライトストラテジ回路が、複数本の信号線でそれに接続されたレーザドライバにパルス状のデジタル信号を供給することにより、当該レーザドライバを制御する。
【００１９】
図１は、実施形態１における書込信号生成装置の構成を説明するための図である。書込信号生成装置１００は、上述したようにシステムＬＳＩで構成してもよい。また、書込信号生成装置１００、レーザドライバ２００、および光ピックアップ３００は、ディスク駆動装置４００を構成する。光ディスクの表面に画像を形成するには、レーザダイオード３１０の制御、図示しないスピンドルモータの回転制御、光ピックアップ３００のフォーカシング制御などが必要である。以下、本明細書では、本発明に関連するレーザダイオード３１０の制御について説明する。その他の制御は、既存のものを利用することができる。
【００２０】
書込信号生成装置１００は、ライトストラテジ回路１０、描画機能制御回路２０、信号変換回路３０、およびシステムブロック７０を含む。システムブロック７０は、エンコーダ４０、クロック発生回路５０、およびマイコン６０を含む。その他、モータサーボなどを含んでもよい。ライトストラテジ回路１０は、レーザ光の照射時間の調整を主に行う。また、レーザパワーを調整する機能を搭載してもよい。光ディスクに対するデータ記録、および画像形成は、その記録面またはレーベル面にレーザ光を照射して行われる。ディスクに照射されるレーザ光のパワーと照射時間により、ディスクに形成されるピットの形状が変化する。すなわち、最適なピットを形成するには、レーザ光のパワーと照射時間を最適に設定する必要がある。
【００２１】
ライトストラテジ回路１０は、ＥＦＭ（Eight to Fourteen Modulation）信号のデータ長を検出して、与えるべき遅延量を決定し、この遅延量を利用して微小なパルスを生成する。ライトストラテジ回路１０は、ＣＤ−Ｒ／ＲＷ、ＤＶＤ−Ｒ／ＲＷ、ＤＶＤ＋Ｒ／ＲＷなど各種の規格に対応することができ、マイコン６０から各規格に対応したストラテジパラメータが与えられる。例えば、ＣＤ−ＲＷにチャネルビット数が４ＴのＥＦＭ信号を記録する場合、初めに融点に至るレーザパワーを１Ｔの間与えて急冷し、つづいて０．５Ｔ→急冷→０．５Ｔを繰り返すといったストラテジで、記録してもよい。
【００２２】
ライトストラテジ回路１０は、クロック発生回路５０から所定のクロックが供給され、エンコーダ４０から楽曲、映像などの記録データ、およびディスクへの画像形成のための描画データの元となるデータが供給される。エンコーダ４０から供給されるデータは、ＥＦＭ形式のデータであってもよい。ライトストラテジ回路１０は、当該クロックを利用して、指定されたストラテジパラメータでエンコーダ４０から入力されたデータを、レーザドライバ２００制御用の書込信号に変換する。そして、その書込信号を信号変換回路３０に出力する。
【００２３】
ライトストラテジ回路１０から信号変換回路３０を経由して、レーザドライバ２００に出力される書込信号は、複数の信号線で伝達される。図１では、３本の信号線で伝達される。ライトストラテジ回路１０は、信号線ごとにフレキシブルに信号を出力することができる。したがって、接続する各種レーザドライバの特性に合わせることが容易である。ディスク表面への描画機能が搭載された後も、多種のレーザドライバとの組み合わせが可能である。３本の信号線で２値化した書込信号を伝達すると、８値のレベルをレーザドライバ２００に指定することができる。レーザドライバ２００は、複数の信号線のハイレベルまたはローレベルの組み合わせを検出することにより、レーザ光のパワーレベルを調整することができ、多値レベルのレーザパワー制御が可能になる。
【００２４】
ライトストラテジ回路１０は、エンコーダ４０から受信するデータ中に、所定のシンクパターンを検出すると、描画機能制御回路２０に起動信号または停止信号などの制御信号を出力する。その際、所定のシンクパターンの検出と共に、所定の条件を満たしている場合に起動信号を出力してもよい。また、ライトストラテジ回路１０は、起動信号の出力の前に、描画データのディスク上の開始位置を生成し、当該起動信号と合わせて出力する。
【００２５】
また、ライトストラテジ回路１０は、信号変換回路３０に所定のモード切替信号を出力する。このモード切替信号は、データ記録などを行う通常機能モードか、ディスク表面に画像を形成する描画機能モードかを信号変換回路３０に指定するための信号である。
【００２６】
描画機能制御回路２０は、ライトストラテジ回路１０の出力する書込信号を、描画用の書込信号に変換するための描画制御信号を信号変換回路３０に出力する。描画機能制御回路２０は、ライトストラテジ回路１０から起動信号を受信すると起動状態に遷移し、停止信号を受信すると、スタンバイ状態に遷移する。
【００２７】
ディスク表面の画像は、ピットを形成している箇所と、していない箇所の濃淡変化により表現することができる。通常のデータ記録時には、０．１μｍレベルの精度でピットを形成しており、肉眼では濃淡を識別することができない。これに対して、０．１ｍｍレベルの精度でピットを形成してやれば、肉眼で濃淡を識別することができるようになる。したがって、上記描画制御信号は、このようなピット長でディスク表面に濃淡を形成するよう、ライトストラテジ回路１０から出力される書込信号を変換できる信号であればよい。それにより、ディスク表面への描画が可能となる。
【００２８】
信号変換回路３０は、書込信号をレーザドライバ２００に出力する出力回路として機能する。ライトストラテジ回路１０から通常機能モードを示すモード切替信号が入力される場合、ライトストラテジ回路１０から入力される書込信号をそのまま、レーザドライバ２００に出力する。描画機能モードを示すモード切替信号が入力される場合、ライトストラテジ回路１０から入力される書込信号を、描画機能制御回路２０から入力される描画制御信号を利用して、描画用の書込信号に変換してからレーザドライバ２００に出力する。この変換処理の詳細については後述する。
【００２９】
エンコーダ４０は、ＰＣ５００などの情報処理装置からの楽曲、映像などの記録データ、およびディスクへの画像形成の元データをＥＦＭ信号形式に変換し、ライトストラテジ回路１０に出力する。この元データは、ピットを一定のパターンで網羅的に形成するためのものであってもよい。また、エンコーダ４０は、ＰＣ５００などの情報処理装置からの描画データをディスク表面の濃淡を示す情報として、描画機能制御回路２０に出力する。ここで、描画データは、例えば、光ディスクの径方向位置ｒと周方向位置θの組み合わせによる座標（ｒ，θ）で与えられてもよい。このような描画データは、上記情報処理装置側のアプリケーションプログラムにより、通常の描画データから変換されたものであってもよい。
【００３０】
クロック発生回路５０は、ライトストラテジ回路１０がエンコーダ４０から入力されるＥＭＦ信号を解読したり、書込信号を生成するためのクロックを、ライトストラテジ回路１０に供給する。ＣＡＶ方式（Constant Angular Velocity）のディスクを使用する場合、ＣＡＶＰＬＬ（Phase Locked Loop）クロックを供給する。ＣＡＶは、ディスクを常に一定の速度で回転させながら、データを記録する方式であり、外周にいくほどデータの書込速度が高速になる。したがって、ＣＡＶＰＬＬクロックは、ディスクの周回に応じて、異なる速度のクロックとなる。ＣＬＶ（Constant Linear Velocity）方式のディスクの場合、書込速度が一定のため、速度変化のないＰＬＬクロックを供給する。
【００３１】
マイコン６０は、本書込信号生成装置１００全体を制御する。本発明との関連では、ディスクの規格に応じたストラテジパラメータをライトストラテジ回路１０に指定する。
【００３２】
レーザドライバ２００は、ライトストラテジ回路１０からの書込信号に応じて、光ピックアップ３００のレーザダイオード３１０を駆動する。当該書込信号を応じて、レーザ光の照射時間およびパワーを調整する。光ピックアップ３００およびレーザダイオード３１０については、一般的なものを利用することができる。なお、ディスクのレーベル面に描画する場合、レーベル面が照射されるように、ユーザにセットしてもらう必要がある。
【００３３】
次に、ライトストラテジ回路１０、描画機能制御回路２０、および信号変換回路３０による信号変換処理の詳細について説明する。図２は、実施形態１におけるライトストラテジ回路１０、描画機能制御回路２０、および信号変換回路３０の出力する波形の遷移を示す図である。ライトストラテジ回路１０は、指定されたストラテジパラメータに応じて、エンコーダ４０から与えられたデータを基に、レーザドライバ２００制御用の書込信号を生成し、信号変換回路３０に出力する。ライトストラテジ回路１０は、通常機能モードであろうと描画機能モードであろうと、上記書込信号を出力する。
【００３４】
通常機能モードでは描画機能制御回路２０が動作しないため、描画機能制御回路２０から信号変換回路３０に出力されるべき描画制御信号はローレベルの状態が続く。ここで、描画制御信号とは、ディスク表面に可視的な濃淡を形成するための信号である。ライトストラテジ回路１０から信号変換回路３０に出力されるモード切替信号は、通常機能モードを示すレベルの状態が続く。図２では、ローレベルの信号を出力し続ける。信号変換回路３０は、当該モード切替信号を監視してモードを判断し、通常機能モードの場合、ライトストラテジ回路１０からの書込信号をそのまま通す。したがって、信号変換回路３０の出力する書込信号は、ライトストラテジ回路１０の出力する書込信号と同様のものとなる。
【００３５】
描画機能制御回路２０は、ライトストラテジ回路１０から描画機能モードへの遷移を指示する起動信号を受信すると、描画制御信号を機能させる。上述したように、ライトストラテジ回路１０は、微小なパルス幅でレーザの照射時間を制御し、レーザダイオード３１０は、肉眼で識別できない精度でピットを形成していく。ディスク表面に視認可能な画像を形成するには、視認可能な大きさでピットの有無を形成する必要がある。ピットを形成しない領域が視認可能な大きさの領域であれば、光をそのまま反射する領域をユーザが視認することができる。
【００３６】
描画機能制御回路２０は、描画機能モードのとき、視認可能な大きさでピットの有無を形成するための周期を持った描画制御信号を生成する。エンコーダ４０から与えられた描画データ、マイコン６０から与えられたディスクの規格に関する情報、およびライトストラテジ回路１０から与えられた描画開始位置に関する情報を参酌して、当該描画制御信号を生成する。描画機能モードでは、ライトストラテジ回路１０から信号変換回路３０に出力されるモード切替信号は、描画機能モードを示すレベルの状態が続く。図２では、ハイレベルの信号を出力し続ける。信号変換回路３０は、当該モード切替信号に基づき、描画機能モードと判断した場合、ライトストラテジ回路１０からの書込信号を基に、描画機能制御回路２０からの描画制御信号を利用して、描画用の書込信号を生成する。
【００３７】
図２では、ライトストラテジ回路１０からの書込信号と、当該描画制御信号の論理積をとっている。すなわち、当該描画制御信号がハイレベルの場合、当該書込信号をそのまま通し、当該描画制御信号がローレベルの場合、当該書込信号をマスクし、ローレベルの信号を出力する。このローレベルの信号により、視認可能なピットを形成しない領域を確保することができる。
【００３８】
以上説明したように実施形態１によれば、描画機能を備えないディスクの駆動装置に対して、その既存の構成への変更を最小限に留めながら、描画機能を搭載することができる。特に、レーザドライバには、描画用の書込信号を受ける経路を新たに設ける必要もなく、既存の仕様のままで、描画機能を加えることができる。ライトストラテジ回路も、ほとんど仕様を変更することなく、描画用としても利用することができる。
【００３９】
また、描画機能制御回路をワンチップ化してシステムＬＳＩ化することにより、調整が容易になる。ライトストラテジ回路１０が生成する書込信号は、１０ｐｓ単位、１００ｐｓ単位の時間で制御される、非常にクリティカルな信号である。したがって、ライトストラテジ回路１０と描画機能制御回路２０とを別の基板に設けると、両回路のタイミングを基板ごとに調整しなければならず、煩雑であり、そのタイミングを合わせることも難しい。この点、ワンチップ化すると調整を最小限にすることができる。
【００４０】
（実施形態２）
実施形態２は、システムを搭載したメイン基板にライトストラテジ回路１０を搭載せず、光ピックアップ３００側のレーザドライバ２００と共にワンチップ化したＬＳＩに、描画機能を搭載する例について説明する。
【００４１】
図３は、実施形態２における書込信号生成装置１１０の構成を説明するための図である。本実施形態における書込信号生成装置１１０は、ライトストラテジ回路１０、描画機能制御回路２０、信号変換回路３０、およびレーザドライバ２００をワンチップ化したＬＳＩで構成される。ライトストラテジ回路１０、描画機能制御回路２０、および信号変換回路３０の構成および動作は、実施形態１と同様であり説明を省略する。実施形態２は、信号変換回路３０とレーザドライバ２００との間の経路がＬＳＩ内に形成される点が実施形態１と異なる。上述したように、ライトストラテジ回路１０が生成する書込信号を伝達する経路は、クリティカルパスである。当該書込信号にごく小さな遅延が発生しても、書込エラーとなり得る。この点、実施形態２は、それらの間の伝達経路を短くしている。
【００４２】
本書込信号生成装置１１０を構成するＬＳＩは、バンク機能と呼ばれる、複数面、例えば２面分のレーザダイオード３１０の照射パワーを制御する領域をＳＲＭＡなどを利用して備えてもよい。このバンク機能を利用すると、複数種類の描画パワーを瞬時に切り替えることができる。例えば、システム基板内のマイコン６０からの制御より、高速に切り替えることができる。
【００４３】
以上説明したように実施形態２によれば、描画機能を備えない、ライトストラテジ回路とレーザドライバを搭載したＬＳＩに対して、その既存の構成への変更を最小限に留めながら、描画機能を搭載することができる。また、ライトストラテジ回路からレーザドライバまでの経路を短くすることができ、書込信号の伝達精度を向上させることができる。その他、実施形態１と同様の効果を奏する。
【００４４】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４５】
実施形態では、描画機能モードに遷移した場合、描画機能制御回路２０は、ライトストラテジ回路から出力される書込信号のパルス幅を調整する例を説明した。これに加えて、レーザ光のパワーを調整してもよい。例えば、ディスクの可視光特性変化層の可視光特性が１ｍＷ以上など、所定のしきい値で変化する場合、そのしきい値を超える値にパワーを上げるよう、上記書込信号をさらに調整する。例えば、アゾ系の有機色素層を用いた場合、青色を表現することができる。これによれば、ディスクの可視光特性変化層に所望の色素の材料を使用し、描画機能モードのとき、その可視光特性が変化するパワーにレーザ光を設定し、通常機能モードのとき、その可視光特性が変化しないパワーにレーザ光を設定することにより、描画した領域とデータを記録した領域とを可視的に識別することができる。
【図面の簡単な説明】
【００４６】
【図１】実施形態１における書込信号生成装置の構成を説明するための図である。
【図２】実施形態１におけるライトストラテジ回路、描画機能制御回路、および信号変換回路の出力する波形の遷移を示す図である。
【図３】実施形態２における書込信号生成装置の構成を説明するための図である。
【符号の説明】
【００４７】
１０  ライトストラテジ回路、  ２０  描画機能制御回路、  ３０  信号変換回路、  ４０  エンコーダ、  ５０  クロック発生回路、  ６０  マイコン、  ７０  システムブロック、  １００  書込信号生成装置、  ２００  レーザドライバ、  ３００  光ピックアップ、  ３１０  レーザダイオード、  ４００  ディスク駆動装置。
【図１】
2006236535.tif 000003
【図２】
2006236535.tif 000004
【図３】
2006236535.tif 000005